(57)【要約】【課題】ねじ止め行程を必要とすることなく、コネクタと収容ケースとを確実に固定し、コネクタに外力が作用したとしても、コネクタと電子回路基板の取り付け部に過大な応力を発生させることがないようにした電子回路基板収容装置を提供する。【解決手段】コネクタ（１４）が取り付けられた電子回路基板（１２）を収容ケース（１６）に収容してなる電子回路基板収容装置（１０）において、前記コネクタの上面（１４ａ）に形成されると共に、前記収容ケースの内壁上面（１６ｂ）に当接する第１の突起（２４）と、および前記コネクタの下面（１４ｂ）に形成されると共に、前記収容ケースの内壁下面（１６ａ）に形成されたリブ（３０）に当接する第２の突起（２６）とを備えるように構成する。【選択図】図１
2007073321.tif 000002
【特許請求の範囲】
【請求項１】
コネクタが取り付けられた電子回路基板を収容ケースに収容してなる電子回路基板収容装置において、前記コネクタの上面に形成されると共に、前記収容ケースの内壁上面に当接する第１の突起と、および前記コネクタの下面に形成されると共に、前記収容ケースの内壁下面に形成されたリブに当接する第２の突起とを備えることを特徴とする電子回路基板収容装置。
【請求項２】
さらに、前記収容ケースの内壁上面に形成されると共に、前記コネクタの上面に当接する第２のリブを備えることを特徴とする請求項１記載の電子回路基板収容装置。
【請求項３】
さらに、前記コネクタの、前記電子回路基板を前記収容ケースに収容する方向において、前側に位置する面に形成されると共に、前記収容ケースの内壁面に当接する第３の突起と、および前記収容ケースの内壁上面に形成されると共に、前記第１の突起の、前記方向において、後側に位置する面に当接される第４の突起を備えることを特徴とする請求項１または２記載の電子回路基板収容装置。
【発明の詳細な説明】
【技術分野】
【０００１】
この発明は、電子回路基板収容装置に関し、より具体的にはコネクタが取り付けられた電子回路基板を収容ケースに収容してなる電子回路基板収容装置に関する。
【背景技術】
【０００２】
従来、コネクタが取り付けられた電子回路基板を収容ケースに収容してなる電子回路基板収容装置においては、外部回路に接続すべくコネクタに相手方コネクタを嵌合させる、あるいはそれらを取り外すとき、コネクタに嵌合または取り外し方向を始め、それと直交する上下方向および左右方向の外力（こじり力）も作用することから、コネクタと電子回路基板の取り付け部、即ち、半田付け部に応力がかかってクラックが発生したり、電子回路基板に撓みが発生してそれに搭載された電子部品および電子回路基板自体が破損する恐れがあった。
【０００３】
このため、下記の特許文献１においては、コネクタをその下面において電子回路基板にねじ止めおよびリード端子のハンダ付けにより固定すると共に、コネクタの上面に設けられた凸部を収容ケースの内壁面に配置した一対の外力受け用突起の間に係入させている。それにより、電子回路基板上のコネクタに相手側コネクタを抜き差しする際、コネクタがこじられて移動しようとしても、凸部が外力受け用突起に当接することによってその移動が規制されるので、コネクタのネジ止め部およびハンダ付け部などのコネクタと電子回路基板の取り付け部に過大な応力が生じないようにしている。
【特許文献１】特開平９−３２１４６２号公報
【発明の開示】
【発明が解決しようとする課題】
【０００４】
しかしながら、上記の特許文献１記載の技術にあっては、収容ケースの内壁面に設けられた外力受け用突起の間にコネクタの上面に設けられた凸部を係入させるには、外力受け用突起の間を凸部より大きく設定する必要があることから、コネクタに外力が作用したとき、外力受け用突起の間で凸部を確実に規制する、即ち、コネクタおよび収容ケースを確実に固定することができなかった。従って、コネクタと電子回路基板の取り付け部に発生する応力を防止する上で不十分なものであった。
【０００５】
尚、単にコネクタおよび収容ケースをねじ止めすれば、それらを確実に固定することができ、よってコネクタに外力が作用したとしてもコネクタと電子回路基板の取り付け部の応力発生を確実に防止できるが、ねじ止め行程が必要となり、工数および部品点数が増加してしまうので、好ましくない。
【０００６】
従って、この発明の目的は上記した課題を解決し、ねじ止め行程を必要とすることなく、コネクタと収容ケースとを確実に固定し、コネクタに外力が作用したとしても、コネクタと電子回路基板の取り付け部に過大な応力を発生させることがないようにした電子回路基板収容装置を提供することにある。
【課題を解決するための手段】
【０００７】
上記の目的を解決するために、請求項１にあっては、コネクタが取り付けられた電子回路基板を収容ケースに収容してなる電子回路基板収容装置において、前記コネクタの上面に形成されると共に、前記収容ケースの内壁上面に当接する第１の突起と、および前記コネクタの下面に形成されると共に、前記収容ケースの内壁下面に形成されたリブに当接する第２の突起とを備えるように構成した。
【０００８】
また、請求項２にあっては、さらに、前記収容ケースの内壁上面に形成されると共に、前記コネクタの上面に当接する第２のリブを備えるように構成した。
【０００９】
また、請求項３にあっては、前記コネクタの、前記電子回路基板を前記収容ケースに収容する方向において、前側に位置する面に形成されると共に、前記収容ケースの内壁面に当接する第３の突起と、および前記収容ケースの内壁上面に形成されると共に、前記第１の突起の、前記方向において、後側に位置する面に当接される第４の突起を備えるように構成した。
【発明の効果】
【００１０】
請求項１に係る電子回路基板収容装置にあっては、コネクタの上面に形成されると共に、収容ケースの内壁上面に当接する第１の突起と、およびコネクタの下面に形成されると共に、収容ケースの内壁下面に形成されたリブに当接する第２の突起とを備えるように構成したので、ねじ止め行程を必要とすることなく、コネクタと収容ケースとを確実に固定することができ、よってコネクタに外力が作用したとしてもコネクタと電子回路基板の取り付け部に過大な応力が発生するのを確実に防止することができる。
【００１１】
請求項２に係る電子回路基板収容装置にあっては、さらに、収容ケースの内壁上面に形成されると共に、コネクタの上面に当接する第２のリブを備えるように構成したので、コネクタと収容ケースとをより確実に固定することができ、よってコネクタと電子回路基板の取り付け部に過大な応力が発生するのを確実に防止することができる。
【００１２】
請求項３に係る電子回路基板収容装置にあっては、コネクタの、電子回路基板を収容ケースに収容する方向において、前側に位置する面に形成されると共に、収容ケースの内壁面に当接する第３の突起と、および収容ケースの内壁上面に形成されると共に、第１の突起の、前記方向において、後側に位置する面に当接される第４の突起を備えるように構成したので、コネクタと収容ケースとをより確実に固定することができ、よってコネクタと電子回路基板の取り付け部に過大な応力が発生するのを確実に防止することができると共に、電子回路基板を収容ケースに収容する方向において電子回路基板を位置決めすることができる。
【発明を実施するための最良の形態】
【００１３】
以下、添付図面に即してこの発明に係る電子回路基板収容装置を実施するための最良の形態について説明する。
【実施例１】
【００１４】
図１はこの発明に係る電子回路基板収容装置の断面図である。
【００１５】
図１において、符号１０は電子回路基板収容装置を示す。電子回路基板収容装置１０は電子回路基板（以下、単に「基板」という）１２と、基板１２に取り付けられるコネクタ１４と、およびコネクタ１４が取り付けられた基板１２を挿着（収容）される収容ケース１６とからなる。図のように、収容ケース１６は６側面の内、１側面が開口された封筒状を呈し、コネクタ１４が取り付けられた基板１２は収容ケース１６の開口された１側面から挿入される。尚、基板１２が収容ケース１６に収容された後、防水を目的としてウレタン樹脂などのポッティング樹脂が電子回路基板収容装置１０の内部に充填される。また、電子回路基板収容装置１０はコネクタ１４および相手方コネクタ（図示なし）を介して外部機器（図示なし）と電気的に接続される。
【００１６】
図１に示されるように、コネクタ１４は、コネクタ１４のリード端子２０が基板１２に挿通されて半田付けされることにより、基板１２に取り付けられる。また、そのようにしてコネクタ１４が取り付けられた基板１２は、収容ケース１６の内壁に形成された図において上下方向に配置される基板レール２２に沿って挿入されることによって収容ケース１６に収容される。図のように、基板レール２２の基板１２の挿入方向において先端側２２ａは、基板レール２２への基板１２の挿入が容易となるように、テーパ状に形成される。
【００１７】
図２はコネクタの４つの側面図である。図中の（ａ）はコネクタ上側面図、（ｂ）はコネクタ後側面図、（ｃ）はコネクタ下側面図、および（ｄ）はコネクタ右側面図である。また、図３は収容ケースの開口側の側面図である。図４は図３のIV−IV線断面図、図５は図３のV−V線断面図、図６は図３のVI−VI線断面図である。
【００１８】
コネクタ１４は樹脂製であるが、図２に示されるように、コネクタ１４の上面１４ａには第１の突起２４が複数個、具体的には２個、一体的に形成される。また、コネクタ１４の下面１４ｂにも第２の突起２６が複数個、具体的には２個、一体的に形成される。
【００１９】
また、収容ケース１６はガラスファイバを含有する樹脂製（具体的には、ＰＢＴ−ＧＦ３０）であるが、図３から図５に示されるように、収容ケース１６の内壁下面１６ａには第１のリブ３０が複数本、具体的には２本、基板１２の挿入方向と平行に一体的に形成される。
【００２０】
また、図１に示されるように、コネクタ１４が取り付けられた基板１２を収容ケース１６に収容するとき、コネクタ１４の上面１４ａの第１の突起２４は収容ケース１６の内壁上面１６ｂに当接されると共に、コネクタ１４の下面１４ｂの第２の突起２６は収容ケース１６の内壁下面１６ａに形成された第１のリブ３０に当接されるように、コネクタ１４の第１，２の突起２４，２６および収容ケース１６の第１のリブ３０の高さは適宜設定される。
【００２１】
図７は、コネクタ１４の上面１４ａの第１の突起２４が収容ケース１６の内壁上面１６ｂに当接される状態を示す説明斜視図である。また、図８は、コネクタ１６の下面１４ｂの第２の突起２６が収容ケース１６の内壁下面１６ａに形成された第１のリブ３０に当接される状態を示す説明斜視図である。尚、図７，８においては、説明の便宜のため基板１２を取り除いた状態で示した。
【００２２】
このように、コネクタ１４の上面１４ａの第１の突起２４は収容ケース１６の内壁上面１６ｂに当接されると共に、コネクタ１４の下面１４ｂの第２の突起２６は収容ケース１６の内壁下面１６ａに形成された第１のリブ３０に当接されるので、コネクタ１４と収容ケース１６をねじ止めすることなく、コネクタ１４と収容ケース１６とを確実に固定することができる。これによって、コネクタ１４に対して相手側コネクタを抜き差ししたときに生じる外力、特に基板１２の挿入方向に対して垂直な上下方向の外力が作用したとしても、外力を収容ケース１６の内壁上面１６ｂおよび下面１６ａに形成された第１のリブ３０で受けることができ、よってコネクタ１４と基板１２の取り付け部、即ち、半田付け部と基板１２に過大な応力を発生するのを確実に防止することができる。
【００２３】
尚、収容ケース１６の第１のリブ３０がコネクタ１４の第２の突起２６が当接しないような収容ケース１６の内部深くまで延長されるのは、収容ケース１６自体の強度向上を図るためである。
【００２４】
さらに、図３、図５および図６に示されるように、収容ケース１６の内壁上面１６ｂには第２のリブ３２が複数本、具体的には２本、基板１２の挿入方向と平行に一体的に形成される。
【００２５】
上記と同様に、図１に示されるように、コネクタ１４が取り付けられた基板１２を収容ケース１６に収容するとき、収容ケース１６の内壁上面１６ｂの第２のリブ３２がコネクタ１４の上面１４ａに当接されるように、収容ケース１６の第２のリブの高さはコネクタ１４の第１の突起２４の高さと略同一に設定される。
【００２６】
図９は、収容ケース１６の内壁上面１６ｂの第２のリブ３２がコネクタ１４の上面１４ａに当接される状態を示す説明斜視図である。尚、図７，８と同様、図９においても説明の便宜のため基板１２を取り除いた状態で示した。
【００２７】
このように、さらに、収容ケース１６の内壁上面１６ｂの第２のリブ３２がコネクタ１４の上面１４ａに当接されるので、コネクタ１４と収容ケース１６とをより確実に固定することができる。これによって、コネクタ１４に対して相手側コネクタを抜き差ししたときに生じる外力、特に基板１２の挿入方向に対して垂直な上下方向の外力が作用したとしても、外力を収容ケース１６の内壁上面１６ｂに形成された第２のリブ３２でも受けることができ、よってコネクタ１４と基板１２の取り付け部、即ち、半田付け部と基板１２に過大な応力が発生するのをより確実に防止することができる。
【００２８】
さらに、図２に示されるように、コネクタ１４の、基板１２が収容される収容方向において、前側に位置する面１４ｃには第３の突起３６が複数個、具体的には２個、一体的に形成される。また、図３、図５および図６に示されるように、収容ケース１６の内壁には、コネクタ１４の第３の突起３６と当接する当接面１６ｃが形成される。当接面１６ｃは、図５によく示されるように、収容ケース１６の内壁上面１６ｂに対して垂直を成すように形成される。また、図３、図５および図６に示されるように、収容ケース１６の内壁上面１６ｂには、第４の突起４０が複数個、具体的には２個、一体的に形成される。第４の突起４０は、図３および図５によく示されるように、その高さは収容ケース１６の第２のリブ３２よりも低く、２本の第２のリブ３２の内側に形成される。
【００２９】
図１に示されるように、コネクタ１４が取り付けられた基板１２を収容ケース１６に収容するとき、基板１２はコネクタ１４の第３の突起３６が収容ケース１６の当接面１６ｃに当接される位置まで挿入される。また、コネクタ１４の第３の突起３６が収容ケース１６の当接面１６ｃに当接される位置まで挿入されたとき、収容ケース１６の第４の突起４０はコネクタ１４の第１の突起２４の挿入方向において後側の面２４ａに当接される。尚、収容ケース１６にコネクタ１４を挿入するとき、収容ケース１６の第４の突起４０とコネクタ１４の第１の突起２４は干渉するが、収容ケース１６の第４の突起４０は、その高さが十分に低く設定されると共に、挿入方向において先端側がテーパ状に形成されるので、収容ケース１６へのコネクタ１４の挿入は容易とされる。
【００３０】
図１０は、コネクタ１４の第３の突起３６が収容ケース１６の内壁の当接面１６ｃに当接される状態を示す説明斜視図である。尚、同様に、図１０においても説明の便宜のため基板１２を取り除いた状態で示した。
【００３１】
このように、さらに、コネクタ１４の第３の突起３６が収容ケース１６の内面の当接面１６ｃに当接されると共に、収容ケース１６の第４の突起４０はコネクタ１４の第１の突起２４の挿入方向において後側の面２４ａに当接されるので、コネクタ１４に対して相手側コネクタを抜き差ししたときに生じる外力、基板１２の挿入方向に対して垂直な左右方向の外力が作用したとしても、外力を収容ケース１６の内壁の当接面１６ｃおよび内壁上面１６ｂの第４の突起４０でも受けることができ、よってコネクタ１４と基板１２の取り付け部、即ち、半田付け部と基板１２に過大な応力を発生するのをより確実に防止することができる。また、コネクタ１４が取り付けられた基板１２は、コネクタ１４の第３の突起３６が収容ケース１６の内面の当接面１６ｃに当接されるまで収容ケース１６に挿入されるので、収容方向において基板１２を位置決めすることができる。
【００３２】
以上のように、この発明の第１実施例にあっては、コネクタ（１４）が取り付けられた電子回路基板（１２）を収容ケース（１６）に収容してなる電子回路基板収容装置（１０）において、前記コネクタの上面（１４ａ）に形成されると共に、前記収容ケースの内壁上面（１６ｂ）に当接する第１の突起（２４）と、および前記コネクタの下面（１４ｂ）に形成されると共に、前記収容ケースの内壁下面（１６ａ）に形成されたリブ（３０）に当接する第２の突起（２６）とを備えるように構成した。
【００３３】
さらに、前記収容ケースの内壁上面（１６ｂ）に形成されると共に、前記コネクタの上面（１４ａ）に当接する第２のリブ（３２）を備えるように構成した。
【００３４】
さらに、前記コネクタの、前記電子回路基板を前記収容ケースに収容する方向において、前側に位置する面（１４ｃ）に形成されると共に、前記収容ケースの内壁面（当接面１６ｃ）に当接する第３の突起（３６）と、および前記収容ケースの内壁上面（１６ｂ）に形成されると共に、前記第１の突起の、前記方向において、後側に位置する面（２４ａ）に当接される第４の突起（４０）を備えるように構成した。
【００３５】
尚、上記において、第１，２，３，４の突起をそれぞれ２個とし、第１，２のリブをそれぞれ２本としたがそれ以上であってもよい。
【図面の簡単な説明】
【００３６】
【図１】この発明の第１実施例に係る電子回路基板収容装置の断面図である。
【図２】図１に示す電子回路基板収容装置のコネクタの４つの側面図である。
【図３】図１に示す電子回路基板収容装置の収容ケースの開口側の側面図である。
【図４】図３のIV−IV線断面図である。
【図５】図３のV−V線断面図である。
【図６】図３のVI−VI線断面図である。
【図７】図１に示す電子回路基板収容装置において、コネクタの上面の第１の突起が収容ケースの内壁上面に当接される状態を示す説明斜視図である。
【図８】図１に示す電子回路基板収容装置において、コネクタの下面の第２の突起が収容ケースの内壁下面に形成された第１のリブに当接される状態を示す説明斜視図である。
【図９】図１に示す電子回路基板収容装置において、収容ケースの内壁上面の第２のリブがコネクタの上面に当接される状態を示す説明斜視図である。
【図１０】図１に示す電子回路基板収容装置において、コネクタの第３の突起が収容ケースの内壁の当接面に当接される状態を示す説明斜視図である。
【符号の説明】
【００３７】
１０：電子回路基板収容装置、１２：電子回路基板、１４：コネクタ、１４ａ：（コネクタの）上面、１４ｂ：（コネクタの）下面、１４ｃ：（コネクタの前側に位置する）面、１６：収容ケース、１６ａ：（収容ケースの）内壁下面、１６ｂ：（収容ケースの）内壁上面、１６ｃ：（収容ケースの）当接面（内壁面）、２４：第１の突起、２６：第２の突起、３０：第１のリブ、３２：第２のリブ、３６：第３の突起、４０：第４の突起
【図１】
2007073321.tif 000003
【図２】
2007073321.tif 000004
【図３】
2007073321.tif 000005
【図４】
2007073321.tif 000006
【図５】
2007073321.tif 000007
【図６】
2007073321.tif 000008
【図７】
2007073321.tif 000009
【図８】
2007073321.tif 000010
【図９】
2007073321.tif 000011
【図１０】
2007073321.tif 000012